(57)【要約】【課題】本発明は、優れた音の出力効果を有するノート型パソコンを提供する。【解決手段】本発明に係るノート型パソコンは、取付スロットが設けられた本体と、回動軸によって本体の後部に回動可能に枢着される蓋体と、本体の取付スロットに装着されてオーディオ信号を受信するか送信するオーディオモジュールと、を備え、オーディオモジュールは弾性部材によって回動可能に本体の取付スロットに装着され、本体に対して蓋体を閉じる際、オーディオモジュールは蓋体に押圧されて取付スロットに収納され、弾性部材は弾性変形して弾性力を蓄積し、本体に対して蓋体を開けると、オーディオモジュールは弾性部材の弾性復帰力に連動されて回動して取付スロットから暴露される。【選択図】図１
2014081927.tif 000002
【特許請求の範囲】
【請求項１】
取付スロットが設けられた本体と、
回動軸によって前記本体の後部に回動可能に枢着される蓋体と、
前記本体の取付スロットに装着されてオーディオ信号を受信するか送信するオーディオモジュールと、を備え、
前記オーディオモジュールは弾性部材によって回動可能に前記本体の取付スロットに装着され、前記本体に対して前記蓋体を閉じる際、前記オーディオモジュールは前記蓋体に押圧されて前記取付スロットに収納され、前記弾性部材は弾性変形して弾性力を蓄積し、前記本体に対して前記蓋体を開けると、前記オーディオモジュールは前記弾性部材の弾性復帰力に連動されて回動して前記取付スロットから暴露されることを特徴とするノート型パソコン。
【請求項２】
前記オーディオモジュールの前壁には複数の出音孔が設置され、前記オーディオモジュールが前記取付スロットから暴露されると、複数の前記出音孔も前記本体の上方に暴露されて、複数の前記出音孔は前記本体に対して上向きに傾斜する方向に沿って音を出すことを特徴とする請求項１に記載のノート型パソコン。
【請求項３】
前記オーディオモジュールが前記取付スロットに収納されると、前記オーディオモジュールの上表面と前記本体の上表面とは同じ平面に位置し、前記オーディオモジュールが前記取付スロットから暴露されると、前記オーディオモジュールの上表面と前記本体の上表面とは鋭角を呈することを特徴とする請求項１または２に記載のノート型パソコン。
【請求項４】
前記弾性部材はトーションバネであり、前記トーションバネは、螺旋部と、前記螺旋部の一端から延在してなる第一弾性アームと、前記螺旋部の他端から延在してなる第二弾性アームと、を備え、前記オーディオモジュールには取付孔が設けられ、前記トーションバネの第一弾性アームは前記オーディオモジュールの取付孔に取り付けられ、前記トーションバネの第二弾性アームは前記本体の取付スロットの底部に固定されることを特徴とする請求項１から３のいずれか一項に記載のノート型パソコン。
【請求項５】
前記取付孔は、前記オーディオモジュールの前壁に対して反対側に位置する後壁に設けられることを特徴とする請求項４に記載のノート型パソコン。
【発明の詳細な説明】
【技術分野】
【０００１】
本発明は、ノート型パソコンに関するものである。
【背景技術】
【０００２】
ノート型パソコンは、キーボードのような操作部を備えた本体及びディスプレイ部を備えた蓋体を備え、蓋体は回動軸によって本体の後部に回動可能に枢着される。本体には取付スロットが設けられており、オーディオモジュールは取付スロットに取り付けられる。オーディオモジュールは、複数の出音孔を備え、ノート型パソコンから出力される音を出すために用いられる。
【０００３】
しかし、オーディオモジュールの出音孔は、垂直に上に向かって音を出すだけで、直接ユーザーに向かって音を出すことができず、従って音の出力効果が理想的ではない。
【発明の概要】
【発明が解決しようとする課題】
【０００４】
本発明の目的は、前記課題を解決し、優れた音の出力効果を有するノート型パソコンを提供することである。
【課題を解決するための手段】
【０００５】
前記目的を達成するため、本発明に係るノート型パソコンは、取付スロットが設けられた本体と、回動軸によって本体の後部に回動可能に枢着される蓋体と、本体の取付スロットに装着されてオーディオ信号を受信するか送信するオーディオモジュールと、を備え、オーディオモジュールは弾性部材によって回動可能に本体の取付スロットに装着され、本体に対して蓋体を閉じる際、オーディオモジュールは蓋体に押圧されて回動して取付スロットに収納され、弾性部材は弾性変形して弾性力を蓄積し、本体に対して蓋体を開けると、オーディオモジュールは弾性部材の弾性復帰力に連動されて回動して取付スロットから暴露される。
【発明の効果】
【０００６】
本発明に係るノート型パソコンにおいて、オーディオモジュールは回動して本体の取付スロットから本体の上方に暴露されることができ、従って音の届きやすさ又は録音精度を改善することができる。
【図面の簡単な説明】
【０００７】
【図１】本発明の実施形態に係るノート型パソコンの斜視図である。
【図２】図１に示すノート型パソコンのオーディオモジュール及びトーションバネの斜視図である。
【図３】図１に示すノート型パソコンの第一使用状態を示す部分側面図ある。
【図４】図１に示すノート型パソコンの第二使用状態を示す部分側面図である。
【発明を実施するための形態】
【０００８】
図１及び図２を参照すると、本発明の実施形態に係るノート型パソコン１００は、操作部を備えた本体１０及びディスプレイ部を備えた蓋体２０を備え、蓋体２０は回動軸によって本体１０の後部に回動可能に枢着される。
【０００９】
本体１０の蓋体２０に近い箇所には、オーディオモジュール３０を取り付けるための細長い取付スロット１２が設けられている。オーディオモジュール３０は、オーディオ信号を受信するか送信して、音を録音するか又は音を発する。オーディオモジュール３０は、トーションバネ４０によって回動可能に取付スロット１２に取り付けられる。オーディオモジュール３０の前壁には複数の出音孔３２が設けられ、オーディオモジュール３０の後壁３４は弧形の凹面であり、後壁３４には取付孔３４１が設けられ、オーディオモジュール３０の頂壁及び底壁は互いに平行な平面である。
【００１０】
トーションバネ４０は、弾性を有する金属線を曲げてなり、螺旋部４２、螺旋部４２の一端から延在してなる第一弾性アーム４４及び螺旋部４２の他端から延在してなる第二弾性アーム４６を備え、トーションバネ４０が自然状態にある場合、第一弾性アーム４４と第二弾性アーム４６との間の角度は鋭角を呈する。
【００１１】
図３及び図４を参照すると、オーディオモジュール３０を本体１０に取り付ける場合、トーションバネ４０の第一弾性アーム４４をオーディオモジュール３０の取付孔３４１に取り付けて、トーションバネ４０及びオーディオモジュール３０を本体１０の取付スロット１２に装着し、トーションバネ４０の第二弾性アーム４６を取付スロット１２の底部に固定する。
【００１２】
図３を参照すると、蓋体２０を開けた場合、トーションバネ４０の弾性復帰力によってトーションバネ４０の第一弾性アーム４４は変形して上向きに傾斜するので、オーディオモジュール３０も上向きに傾斜して、オーディオモジュール３０の前壁は本体１０の上方に暴露され、オーディオモジュール３０の前壁に設けられた複数の出音孔３２はユーザーに向かって上向きに傾斜する方向に沿って音を発するか又は音を録音して、ユーザーへの音の届きやすさ又は録音精度を改善する。この時、トーションバネ４０の第二弾性アーム４６は水平位置に位置する。
【００１３】
図４を参照すると、蓋体２０を閉じた場合、オーディオモジュール３０は蓋体２０に押圧されて水平位置に回動して本体１０の取付スロット１２に収納され、オーディオモジュール３０の頂壁と本体１０の上表面とは同じ平面に位置し、トーションバネ４０の第一弾性アーム４４はオーディオモジュール３０の回動によって水平位置に変形して、トーションバネ４０の第一弾性アーム４４と第二弾性アーム４６とは互いに平行となり、トーションバネ４０は弾性力を蓄積する。
【００１４】
他の実施形態において、本体１０と蓋体２０との間に係合構造を設置して、蓋体２０がトーションバネ４０の弾性復帰力によって自動的に開けられることを防止し、オーディオモジュール３０もトーションバネ４０以外の他の弾性部材によって回動可能に本体１０に取り付けることができる。
【００１５】
以上、本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００１６】
１０  本体
１２  取付スロット
２０  蓋体  
３０  オーディオモジュール
３２  出音孔
３４  後壁
４０  トーションバネ
４２  螺旋部
４４  第一弾性アーム
４６  第二弾性アーム
３４１  取付孔
【図１】
2014081927.tif 000003
【図２】
2014081927.tif 000004
【図３】
2014081927.tif 000005
【図４】
2014081927.tif 000006